(57)【要約】【課題】棚上の限られたスペースを有効に商品陳列に利用することができると共に、当該商品の照明を実現することができるショーケースを提供する。【解決手段】本発明のショーケース１は、前面が開口する陳列室１１内に架設した棚３０上に商品を陳列するものであって、ＬＥＤ素子４３を有し、棚３０下の後部に位置して前方に向けられたＬＥＤ照明装置７０と、棚３０下の前部に設けられた反射部材（反射面）６８とを備え、ＬＥＤ照明装置７０のＬＥＤ素子４３から照射された光を、反射面により棚３０下方に向けて反射させる。【選択図】図５
2010078252.tif 000002
【特許請求の範囲】
【請求項１】
前面が開口する陳列室内に架設した棚上に商品を陳列するショーケースにおいて、
ＬＥＤ素子を有し、前記棚下の後部に位置して前方に向けられたＬＥＤ照明装置と、
前記棚下の前部に設けられた反射面とを備え、
前記ＬＥＤ照明装置のＬＥＤ素子から照射された光を、前記反射面により前記棚下方に向けて反射させることを特徴とするショーケース。
【請求項２】
前記棚は、前記商品が載置される棚板と、該棚板の前端部に取り付けられたプライスレールとを有し、
該プライスレールの後下隅部に前記反射面を構成したことを特徴とする請求項１に記載のショーケース。
【発明の詳細な説明】
【技術分野】
【０００１】
本発明は、前面が開口する陳列室内に架設した棚上に商品を陳列するショーケースに関するものであって、特に、当該棚上の照明に関するものである。
【背景技術】
【０００２】
従来より、この種のショーケースは、例えば特許文献１に示すように、前面に開口する陳列室内に商品陳列用の複数段の棚装置が架設されており、各棚装置の下面前部及び陳列室の開口上部には、陳列室内を照明するための蛍光灯などの照明装置がそれぞれ取り付けられている。
【０００３】
また、各蛍光灯の上側には例えば白色に塗装された鋼板製の反射板が取り付けられている。この反射板は複数箇所を屈曲されることにより、蛍光灯の上方を略囲繞するように設けられ、蛍光灯から発せられた光のうち上方に向かう光を下方に向けて反射させる。これにより、下方の各棚上の商品をより明るく照明できるようにしていた。
【０００４】
また、これ以外にも、照明装置としてＬＥＤ素子を複数備えたＬＥＤ照明装置を棚板の下面前部に取り付け、これにより、当該照明装置が設けられる下側の棚装置上を照明するショーケースが開発されている。
【特許文献１】特開２００２−３９６７２号公報
【発明の開示】
【発明が解決しようとする課題】
【０００５】
しかしながら、従来の棚に設けられる照明装置では、棚の前部下面に取り付けられていたため、当該照明装置自体によって、下側に架設される棚上の商品が見えにくいという問題がある。また、照明装置は、一般に蛍光灯が使用されているため、ある程度のスペースが必要となり、下側に架設される棚上の陳列スペースが縮減されてしまうという問題があった。
【０００６】
また、棚装置は、陳列室の後部に設けられる支柱にブラケットなどによって支持されて設けられる。そのため、最も力がかかりやすい棚前端部に、ある程度の重量のある照明装置が設けられることによって、棚上に陳列される商品の耐重量が制限されてしまうという問題がある。
【０００７】
本発明は従来の技術的課題を解決するためになされたものであり、棚上の限られたスペースを有効に商品陳列に利用することができると共に、当該商品の照明を実現することができるショーケースを提供する。
【課題を解決するための手段】
【０００８】
本発明のショーケースは、前面が開口する陳列室内に架設した棚上に商品を陳列するものであって、ＬＥＤ素子を有し、棚下の後部に位置して前方に向けられたＬＥＤ照明装置と、棚下の前部に設けられた反射面とを備え、ＬＥＤ照明装置のＬＥＤ素子から照射された光を、反射面により棚下方に向けて反射させることを特徴とする。
【０００９】
請求項２の発明のショーケースは、上記発明において、棚は、商品が載置される棚板と、該棚板の前端部に取り付けられたプライスレールとを有し、該プライスレールの後下隅部に反射面を構成したことを特徴とする。
【発明の効果】
【００１０】
本発明によれば、前面が開口する陳列室内に架設した棚上に商品を陳列するショーケースにおいて、ＬＥＤ素子を有し、棚下の後部に位置して前方に向けられたＬＥＤ照明装置と、棚下の前部に設けられた反射面とを備え、ＬＥＤ照明装置のＬＥＤ素子から照射された光を、反射面により棚下方に向けて反射させることにより、効果的に棚上に陳列される商品を照明することができる。
【００１１】
特に、指向性の高いＬＥＤ素子によって棚下の前部に設けられた反射面に光を照射することから、良好に反射面に光を照射することができ、棚前方に直接、ＬＥＤ素子からの光が照射される不都合を抑制することが可能となる。
【００１２】
また、棚下前部に照明装置を取り付ける場合に比してスペース効率の向上、更には、棚全体の軽量化を図ることが可能となる。そのため、棚下前部に設けられる照明装置によって、下側に架設される棚上に陳列される商品、特に奥部に陳列される商品が見えにくくなる不都合を解消することができ、効果的な陳列・照明を実現することが可能となる。
【００１３】
請求項２の発明によれば、上記発明において、棚は、商品が載置される棚板と、該棚板の前端部に取り付けられたプライスレールとを有し、該プライスレールの後下隅部に反射面を構成したことにより、更なるスペース効率の向上を図ることができる。
【発明を実施するための最良の形態】
【００１４】
次に、図面を参照して本発明の実施形態について詳述する。図１は本発明を適用したオープンショーケース１の斜視図、図２は図１のオープンショーケース１の縦断側面図をそれぞれ示している。オープンショーケース１は、例えばスーパーマーケットなどの店舗内に据え付けられる縦型のオープンショーケースであり、前面に開口する断面略コ字状の断熱壁２と、据え付け現場において断熱壁２の側面に取り付けられた断熱性の側板５、５とから構成されている。
【００１５】
オープンショーケース１の断熱壁２の内側にはそれぞれ間隔を存して仕切板４及び図示しないもう一枚の仕切板が取り付けられ、これら仕切板４などと断熱壁２間に図示しない内外二層のダクトが形成されている。内側の仕切板４を構成する背部仕切板１０の下端前方には、底板９が断熱壁２の底壁２Ａとの間にダクト用の間隔を存して取り付けられており、これら仕切板４及び底板９の内側を陳列室１１としている。
【００１６】
この陳列室１１内には、高さ及び取り付け角度が変更可能であると共に、陳列室１１内背部の図示しない支柱に取り付けられる一対のブラケット３１及びこのブラケット３１に支持されてこれらと共に棚３０を構成する棚板３２が複数段に渡って架設されている。尚、当該棚３０の詳細な構成は後述する。
【００１７】
断熱壁２の前面開口１２の上縁にはハニカム材１３、１４がそれぞれ取り付けられた内層吐出口１６及び外層吐出口１７が並設されており、これら内層吐出口１６及び外層吐出口１７は、前記内層ダクト及び外層ダクトにそれぞれ連通している。また、開口１２の下縁には、内層吸込口１８と外層吸込口１９が並設されている。
【００１８】
一方、底板９下方後部には断熱壁２の底壁２Ａ上に前記内層ダクト及び外層ダクトのそれぞれに対応する図示しない送風機が複数台設置されている。背部仕切板１０後方の内層ダクト内には冷却装置の冷却器３９が縦設されており、前記内層ダクトに対応した送風機が運転されると冷却器３９と熱交換した冷気は内層ダクト内を上昇せられ、内層吐出口１６より内層吸込口１８に向かって吐出される。そして、内層吸込口１８から吸い込まれた冷気は再び前記送風機によって加速される。
【００１９】
他方、前記外層ダクトに対応した送風機が運転されると外層ダクト内の空気は外層ダクト内を上昇せられ、外層吐出口１７より外層吸込口１９に向かった吐出される。そして、外層吸込口１９から吸い込まれた空気は再び前記送風機によって加速される。これによって、開口１２には前後二重のエアーカーテンが形成され、内側の冷気エアーカーテンの一部が陳列室１１内に循環されて陳列室１１は冷却される。
【００２０】
一方、断熱壁２の下側前壁２Ｃの上面には、ショーケース１の開口１２下縁の全幅に渡って設けられるハンドレール２０が取り付けられる。この前壁２Ｃの前面には、ハンドレール２０と連続するように前面下パネル２１が取り付けられ、該前面下パネル２１の下方には前面下パネル２１と略面一となるようにバンパー２２が取り付けられる。
【００２１】
そして、断熱壁２の天壁２Ｂ前端（上部前端）には、前方に張り出したキャノピー３３が取り付けられており、このキャノピー３３の内側には、陳列室１１の前面開口１２より外側に延在した状態で反射板４５が取り付けられる。尚、キャノピー３３の前面には図１に示されるように温度表示部３８が設けられている。
【００２２】
この反射板４５は、化粧塗装が施された金属板にて構成されており、前部には、長手方向に渡って、上前方から陳列室１１の前面開口１２を臨む角度、即ち、後斜め下方の陳列室１１方向に面してＬＥＤ照明装置４０が左右に渡って並設されている。
【００２３】
このＬＥＤ照明装置４０は、複数のＬＥＤ素子４３が配設された図示しない基板により構成されている。長手方向に延在して構成されている基板には、所定間隔を存して複数のＬＥＤ素子４３が取り付けられている。本実施例において、ＬＥＤ素子４３は、チップタイプの白色のＬＥＤ素子である。それぞれのＬＥＤ素子４３は、排気孔を下側から囲繞するかたちで取り付けられる透光性のシェード４６によってカバーされる。
【００２４】
係る構成により、各ＬＥＤ照明装置４０が点灯されると、シェード４６において拡散された後のそれぞれのＬＥＤ素子４３の照射光により、陳列室１１の外側に位置する上前方から陳列室１１内全体が照明される。
【００２５】
次に、図３及び図４を参照して、本実施例における棚３０について詳述する。図３は棚３０の縦断側面図、図４は図３の前部拡大図をそれぞれ示している。本実施例の棚３０を構成する棚板３２は、前縁を下方に略垂直に折曲して構成された前壁５０と、この前壁５０の下端から略直角に後方に折曲された後向きのフランジ５１と、後縁において下方に折曲された後壁５２と、この後壁５２の下端から前方に折曲された前向きのフランジ５３とを有する塗装鋼板５４と、この塗装鋼板５４の左右両側縁下面に沿って溶接固定され、前記ブラケット３１に載置される左右一対の鋼板製補強部材５５と、塗装鋼板５４の長手方向の下面に沿って溶接固定された補強部材５６とから成るものである。
【００２６】
３４は、棚板３２の前縁に沿って取り付けられ、この棚板３２の装飾体を兼用するプライスレールであり、硬質合成樹脂により成形されている。係るプライスレール３４は、棚板３２の前面に位置する前壁部５７と、この前壁部５７の下端から後方に水平に延びる連壁部５８と、この連壁部５８の後端に連結され、全体として後上がりに傾斜する後壁部５９とから構成されている。
【００２７】
前記前壁部５７は凹状に湾曲しており、その上縁前面及び下縁に沿って棚板３２に載置された商品の品名や価格等を記載した紙又は樹脂シートからなる図示しない表示カードを係脱自在に保持する係止片が形成されている。
【００２８】
また、この前壁部５７には上縁裏面から後方に向かって延びる略Ｌ字状の突起６０と、この突起６０の下方に間隔を存して位置するよう前壁部５７の途中から後方に延びる突起６６が形成されている。
【００２９】
後壁部５９には棚板３２のフランジ５１を嵌合するための前向きの嵌合溝６１が形成されている。そして、前壁部５７と、嵌合溝６１を構成するフランジ５１の上前端部６２との間には、当該上前端部と所定間隔を存して上方に起立する支持部６３が形成されている。
【００３０】
これにより、支持部６３とフランジの上前端部６２によって、略垂直上方に開口する凹所６５が形成され、前壁部５７と支持部６３とによって斜め上後方に開口する凹所６４が形成される。図中、当該凹所６５内に嵌め込まれている３５は、棚板３２の前壁５０とプライスレール３４の６０との間に位置して棚板３２上の商品が落下することを防止するためのガードである。当該ガードは、透明なガラス或いは樹脂板から構成されている。
【００３１】
そして、プライスレール３４の連壁部５８の後端には、下後方に向けて延出する反射部材保持部６７が形成されている。当該反射部材保持部６７の後端は鈎状に構成されており、当該反射部材保持部６７と後壁部５９後端とで、即ち、プライスレール３４の後下隅部において反射部材（反射面。例えばミラー）６８が挟持されている。このとき、反射部材６８の反射面は、棚３０の後下方に向けて保持される。尚、当該反射部材６８は、角度調整自在に反射部材保持部６７に保持されるものとする。
【００３２】
一方、背部仕切板１０の前面には、当該棚３０下の後部に位置して棚ＬＥＤ照明装置７０が設けられている。この棚ＬＥＤ照明装置７０は、上記ＬＥＤ照明装置４０と同様に、複数のＬＥＤ素子４３が配設された基板４２により構成されている。棚３０の長手方向に対応して構成されている基板４２には、所定間隔を存して複数のＬＥＤ素子４３が取り付けられている。各ＬＥＤ素子４３は、当該ＬＥＤ素子４３からの照射光が前方、この場合プライスレール３４の下部後端に位置して配設される反射部材６８に向けて配設されている。尚、当該基板４２は、熱良導性の取付板４７を介して背部仕切板１０に設けられている。
【００３３】
以上の構成により、棚３０を組み立てる場合には、まずはじめに、棚板３２の前壁５０のフランジ５１をプライスレール３４の嵌合溝６０に挿入する。このとき棚板３２の前壁５０裏面には、プライスレール３４の上前端部６２前面が当接し、プライスレール３４を支持している。
【００３４】
この状態において、棚板３２の前壁５０とプライスレール３４の前壁部５７に形成された突起６０間には、間隔が形成され、この間隔にガード３５を上から差し込む。この場合、ガード３５の下部は、プライスレール３４の後壁部５９と連続して形成された支持部６３と前壁部５７裏面とにより画成された凹所６４に挿入される。
【００３５】
これにより、棚板３２には、下部後端に反射部材６８が設けられたプライスレール３４が取り付けられることとなる。
【００３６】
従って、当該棚３０下の後部に位置する背部仕切板１０の前面に設けられた棚ＬＥＤ照明装置７０の各ＬＥＤ素子４３を点灯することにより、ＬＥＤ素子４３から前方に照射された光は、棚下前部に位置するプライスレール３４の反射部材６８に反射される。このとき、当該反射部材６８は、棚３０の後下方に向けて設けられているため、ＬＥＤ素子４３から照射された光を、当該棚３０の下方に架設される棚３０上に陳列される商品に向けて反射させることができる。
【００３７】
これにより、図５の概略説明図に示されるように、効果的に、下側に架設される棚３０上に陳列される商品を照明することができる。
【００３８】
特に、指向性の高いＬＥＤ素子４３よって棚３０下の前部に設けられた反射部材６８に光を照射することから、良好に反射部材６８の反射面に光を照射することができ、棚３０前方に直接、ＬＥＤ素子４３からの光が照射される不都合を抑制することが可能となる。
【００３９】
係る構成とすることにより、棚３０下前部に照明装置を取り付ける場合に比してスペース効率の向上、更には、棚３０全体の軽量化を図ることが可能となる。そのため、棚３０下前部に設けられる照明装置によって、下側に架設される棚３０に陳列される商品、特に奥部に陳列される商品が見えにくくなる不都合を解消することができ、効果的な陳列・照明を実現することが可能となる。また、従来の如く棚３０下前部に照明装置が設けられていないため、商品の陳列作業を行いやすくなる。
【００４０】
また、図３に示されるように、当該棚３０は、棚板３２が前下がりに傾斜して取り付けることによって、ショーケース１の前面から棚下後部に位置して前方に向けられたＬＥＤ照明装置７０が見えがたくなる。これにより、当該ＬＥＤ照明装置７０によって、直接顧客が照らされ、眩しく感じる不都合を解消することが可能となる。
【００４１】
また、当該ＬＥＤ照明装置７０を採用する棚３０は、顧客の目線の高さよりも低い位置であることが望ましい。これにより、より一層、直接顧客の顔が照らされて、眩しく感じる不都合を解消することができる。
【００４２】
本実施例では、ＬＥＤ照明装置７０は、背部仕切板１０の前面に設けられているが、これに限定されるものではなく、例えば、当該棚３０の棚板３２の後端に左右に渡って設けてもよく、また、ブラケット３１、３１間に渡って設けてもよい。係る構成とすることにより、当該棚３０の取付高さを調整した場合であっても、適切な位置から棚３０前部に設けられる反射部材６８に向けて光を照射することが可能となり、適切な照明を実現することが可能となる。
【００４３】
また、棚３０の棚板３２の下面は、反射効率のよい塗装が施されていることが望ましい。これによって、ＬＥＤ照明装置７０の各ＬＥＤ素子４３によって当該棚板３２の下面に照射された光をも効果的に当該棚下に架設される棚上に反射させることができ、より一層、照明効果を向上させることができる。
【００４４】
尚、本実施例では、反射部材６８は、プライスレール３４と別部材により構成され、当該プライスレール３４の後下隅部、即ち、プライスレール３４の連壁部５８の後端の反射部材保持部６７と後壁部５９後端とで当該反射部材６８を角度調整自在に保持しているが、これに限定されるものではなく、棚３０下の前部、例えば棚板３２の前部下面に当該反射部材６８を設ける構成としてもよい。
【００４５】
また、図６の概略説明図に示すように、プライスレール３４の後下隅部の角を、後下方（棚下方）に向けて傾斜する傾斜面を形成し、当該傾斜面を反射部材３４Ａにより一体に構成してもよい。部品点数の削減を図ることができ、組立作業性の向上や取付角度の調整を不要とすることができる。
【図面の簡単な説明】
【００４６】
【図１】本発明を適用したオープンショーケースの斜視図である。
【図２】図１のオープンショーケースの縦断側面図である。
【図３】棚の縦断側面図である。
【図４】図３の前部拡大図である。
【図５】棚の概略構成図である。
【図６】他の実施例としての棚の概略構成図である。
【符号の説明】
【００４７】
１    オープンショーケース
２    断熱壁
２Ａ  底壁
４    仕切板
９    底板
１０  背部仕切板
１１  陳列室
１２  開口
３０  棚
３１  ブラケット
３２  棚板
３３  キャノピー
３４  プライスレール
３５  ガード
４０  ＬＥＤ照明装置
４３  ＬＥＤ素子
５０  前壁
５１  フランジ
５２  後壁
５７  前壁部
５８  連壁部
５９  後壁部
６０  突起
６１  嵌合溝
６３  支持部
６６  突起
６７  反射部材保持部
６８、３４Ａ  反射部材
７０  棚ＬＥＤ照明装置
【図１】
2010078252.tif 000003
【図２】
2010078252.tif 000004
【図３】
2010078252.tif 000005
【図４】
2010078252.tif 000006
【図５】
2010078252.tif 000007
【図６】
2010078252.tif 000008